(57)【要約】【課題】無彩色の画像を記録媒体に形成可能とする動作状態とカラー画像を記録媒体に形成可能とする動作状態との切り替えの頻度を減少させる画像形成装置及びプログラムを得る。【解決手段】端末装置８１によって白黒画像形成モード及びカラー画像形成モードの何れかの動作状態が設定され、白黒画像形成モード及びカラー画像形成モードの何れか一方を優先モードとして選択され、ＣＰＵ７０によって、画像形成部１２による記録用紙への画像の形成が正常に終了した場合、及び画像形成部１２による画像の形成が途中で中断した場合で、かつ設定された動作状態が優先モードと異なる場合には、設定された動作状態を優先モードに切り替える一方、ユーザの操作による復帰が可能な状態で中断した場合、及び自動的に復帰が可能な状態で中断した場合で、かつ設定された動作状態が優先モードと異なる場合には、設定された動作状態の優先モードへの切り替えを中止する。【選択図】図２
2010181650.tif 000002
【特許請求の範囲】
【請求項１】
記録媒体を搬送する搬送手段と、
無彩色の画像を形成可能とする第１動作状態、及びカラー画像を形成可能とする第２動作状態の何れかの動作状態を設定する設定手段と、
前記第１動作状態及び前記第２動作状態の何れか一方を優先動作状態として選択する選択手段と、
前記設定手段によって設定された動作状態に応じて動作し、画像情報に基づいて前記設定された動作状態に応じた画像を前記搬送手段によって搬送されている記録媒体に形成する画像形成手段と、
前記画像形成手段による前記記録媒体への画像の形成が正常に終了した場合で、かつ前記設定された動作状態が前記優先動作状態と異なる場合、及び前記画像形成手段による画像の形成が途中で中断した場合で、かつ前記設定された動作状態が前記優先動作状態と異なる場合には、前記設定された動作状態を前記優先動作状態に切り替える切替手段と、
前記画像形成手段による画像の形成が、ユーザの操作による復帰が可能な状態で中断した場合で、かつ前記設定された動作状態が前記優先動作状態と異なる場合、及び自動的に復帰が可能な状態で中断した場合で、かつ前記設定された動作状態が前記優先動作状態と異なる場合には、前記設定された動作状態の前記優先動作状態への切り替えを中止する切替中止手段と、
を備えた画像形成装置。
【請求項２】
前記ユーザの操作による復帰が可能な状態は、消耗品の補充により画像の形成の再開が可能な状態、及び前記搬送手段に停留した前記記録媒体を除去することにより画像の形成の再開が可能な状態である請求項１記載の画像形成装置。
【請求項３】
前記切替手段は、前記画像形成手段による画像の形成が途中でユーザにより終了された場合で、かつ前記設定された動作状態が前記優先動作状態と異なる場合には、前記設定された動作状態を前記優先動作状態に切り替える請求項１又は請求項２記載の画像形成装置。
【請求項４】
記録媒体を搬送する搬送手段と、無彩色の画像を形成可能とする第１動作状態、及びカラー画像を形成可能とする第２動作状態の何れかの動作状態を設定する設定手段と、前記第１動作状態及び前記第２動作状態の何れか一方を優先動作状態として選択する選択手段と、前記設定手段によって設定された動作状態に応じて動作し、画像情報に基づいて前記設定された動作状態に応じた画像を前記搬送手段によって搬送されている記録媒体に形成する画像形成手段と、を備えた画像形成装置におけるプログラムであって、
コンピュータを、
前記画像形成手段による前記記録媒体への画像の形成が正常に終了した場合で、かつ前記設定された動作状態が前記優先動作状態と異なる場合、及び前記画像形成手段による画像の形成が途中で中断した場合で、かつ前記設定された動作状態が前記優先動作状態と異なる場合には、前記設定された動作状態を前記優先動作状態に切り替える切替手段と、
前記画像形成手段による画像の形成が、ユーザの操作による復帰が可能な状態で中断した場合で、かつ前記設定された動作状態が前記優先動作状態と異なる場合、及び自動的に復帰が可能な状態で中断した場合で、かつ前記設定された動作状態が前記優先動作状態と異なる場合には、前記設定された動作状態の前記優先動作状態への切り替えを中止する切替中止手段と、
して機能させるためのプログラム。
【請求項５】
コンピュータを、請求項１乃至請求項３の何れか１項に記載の画像形成装置における前記切替手段、及び前記切替中止手段として機能させるためのプログラム。
【発明の詳細な説明】
【技術分野】
【０００１】
本発明は、画像形成装置及びプログラムに関する。
【背景技術】
【０００２】
特許文献１には、白黒原稿を印刷する時は、カラーの画像形成ユニットに隣接した紙搬送ベルトを当該カラー画像形成ユニットから切離させて黒画像形成ユニットのみによって画像を形成させ、カラーモード時は、前記紙搬送ベルトをカラーの画像形成ユニットに常に接触させた状態でカラーの印刷を行い、自動切り替えモードでは原稿に応じて前記切離/接触を切り替えて印刷を行う画像形成装置が開示されている。この画像形成装置においては、自動切り替えモード時に、ホストコンピュータ上のプリンタドライバは、印刷すべき文書についてＮページ単位で白黒印刷かカラー印刷かを判断し、その判断結果をプリンタコントローラを介してプリンタエンジンに通知し、プリンタエンジンはその結果に応じて前記切離/接触の切り替えを行っている。
【０００３】
また、特許文献２には、複数の画像形成部の全てにおいて形成されたトナー像を中間転写体に転写すると共に、中間転写体から記録材に転写して、記録材に画像を形成する第１モード、及び画像形成部の一部において形成されたトナー像を中間転写体に転写すると共に、中間転写体から記録材に転写する第２モードを有する画像形成装置において、第１モードと第２モードとの切り替えが連続動作中に行われ、且つ、第１モードから第２モードに移行する際に、画像形成部のそれぞれに設けられた１次転写圧着手段による圧着を、一旦全部解除した後に、画像形成が行われる画像形成部の１次転写圧着手段を作動させて第２モードに移行する画像形成装置が開示されている。
【先行技術文献】
【特許文献】
【０００４】
【特許文献１】特開２００１−２７０１９３号公報
【特許文献２】特開２００４−３４１３９９号公報
【発明の概要】
【発明が解決しようとする課題】
【０００５】
本発明は、無彩色の画像を記録媒体に形成可能とする動作状態とカラー画像を記録媒体に形成可能とする動作状態との切り替えの頻度を減少させることができる画像形成装置及びプログラムを提供することを目的とする。
【課題を解決するための手段】
【０００６】
上記目的を達成するために、請求項１に記載の発明は、記録媒体を搬送する搬送手段と、無彩色の画像を形成可能とする第１動作状態、及びカラー画像を形成可能とする第２動作状態の何れかの動作状態を設定する設定手段と、前記第１動作状態及び前記第２動作状態の何れか一方を優先動作状態として選択する選択手段と、前記設定手段によって設定された動作状態に応じて動作し、画像情報に基づいて前記設定された動作状態に応じた画像を前記搬送手段によって搬送されている記録媒体に形成する画像形成手段と、前記画像形成手段による前記記録媒体への画像の形成が正常に終了した場合で、かつ前記設定された動作状態が前記優先動作状態と異なる場合、及び前記画像形成手段による画像の形成が途中で中断した場合で、かつ前記設定された動作状態が前記優先動作状態と異なる場合には、前記設定された動作状態を前記優先動作状態に切り替える切替手段と、前記画像形成手段による画像の形成が、ユーザの操作による復帰が可能な状態で中断した場合で、かつ前記設定された動作状態が前記優先動作状態と異なる場合、及び自動的に復帰が可能な状態で中断した場合で、かつ前記設定された動作状態が前記優先動作状態と異なる場合には、前記設定された動作状態の前記優先動作状態への切り替えを中止する切替中止手段と、を備えている。
【０００７】
また、請求項２に記載の発明は、請求項１に記載の発明において、前記ユーザの操作による復帰が可能な状態を、消耗品の補充により画像の形成の再開が可能な状態、及び前記搬送手段に停留した前記記録媒体を除去することにより画像の形成の再開が可能な状態としたものである。
【０００８】
また、請求項３に記載の発明は、請求項１又は請求項２に記載の発明において、前記切替手段が、前記画像形成手段による画像の形成が途中でユーザにより終了された場合で、かつ前記設定された動作状態が前記優先動作状態と異なる場合には、前記設定された動作状態を前記優先動作状態に切り替えるようにしたものである。
【０００９】
一方、上記目的を達成するために、請求項４に記載の発明は、記録媒体を搬送する搬送手段と、無彩色の画像を形成可能とする第１動作状態、及びカラー画像を形成可能とする第２動作状態の何れかの動作状態を設定する設定手段と、前記第１動作状態及び前記第２動作状態の何れか一方を優先動作状態として選択する選択手段と、前記設定手段によって設定された動作状態に応じて動作し、画像情報に基づいて前記設定された動作状態に応じた画像を前記搬送手段によって搬送されている記録媒体に形成する画像形成手段と、を備えた画像形成装置におけるプログラムであって、コンピュータを、前記画像形成手段による前記記録媒体への画像の形成が正常に終了した場合で、かつ前記設定された動作状態が前記優先動作状態と異なる場合、及び前記画像形成手段による画像の形成が途中で中断した場合で、かつ前記設定された動作状態が前記優先動作状態と異なる場合には、前記設定された動作状態を前記優先動作状態に切り替える切替手段と、前記画像形成手段による画像の形成が、ユーザの操作による復帰が可能な状態で中断した場合で、かつ前記設定された動作状態が前記優先動作状態と異なる場合、及び自動的に復帰が可能な状態で中断した場合で、かつ前記設定された動作状態が前記優先動作状態と異なる場合には、前記設定された動作状態の前記優先動作状態への切り替えを中止する切替中止手段として機能させるプログラムである。
【００１０】
また、請求項５に記載の発明は、コンピュータを、請求項１乃至請求項３の何れか１項に記載の画像形成装置における前記切替手段、及び前記切替中止手段として機能させるためのプログラムである。
【発明の効果】
【００１１】
請求項１，４，５に記載の発明によれば、無彩色の画像を記録媒体に形成可能とする動作状態とカラー画像を記録媒体に形成可能とする動作状態との切り替えの頻度を減少させることができる、という優れた効果を有する。
【００１２】
また、請求項２に記載の発明によれば、本構成を有さない場合に比べ、ユーザの操作により、中断された画像の形成を容易に復帰させることができる、という優れた効果を有する。
【００１３】
また、請求項３に記載の発明によれば、本構成を有さない場合に比べ、ユーザの操作によって画像の形成が終了した場合に、より確実に優先動作状態へ切り替えることができる、という優れた効果を有する。
【図面の簡単な説明】
【００１４】
【図１】実施の形態に係る画像形成装置の破断側面図である。
【図２】実施の形態に係る画像形成装置の電気系の要部構成を示すブロック図である。
【図３】実施の形態に係る画像形成プログラムの処理の流れを示すフローチャートである。
【発明を実施するための形態】
【００１５】
以下、図面を参照して、本発明の実施の形態について詳細に説明する。
【００１６】
図１には、本実施の形態に係る画像形成装置１０の全体構成が示されている。
【００１７】
同図に示すように、画像形成装置１０は、イエロー（Ｙ）のトナーを用いて記録用紙Ｐに画像を形成する画像形成部１２Ｙ、マゼンタ（Ｍ）のトナーを用いて記録用紙Ｐに画像を形成する画像形成部１２Ｍ、シアン（Ｃ）のトナーを用いて記録用紙Ｐに画像を形成する画像形成部１２Ｃ、及びブラック（Ｋ）のトナーを用いて記録用紙Ｐに画像を形成する画像形成部１２Ｋを備えている。なお、以下の説明において、対応する色を区別する場合は、符号の末尾に対応するＹ，Ｍ，Ｃ，Ｋの何れかを付して説明し、対応する色を区別しない場合は、Ｙ，Ｍ，Ｃ，Ｋを省略する。
【００１８】
画像形成部１２には、感光体ドラム１８が設けられており、感光体ドラム１８は、回転軸を有し、当該回転軸を中心として矢印Ｒ方向に回転した状態で、受光面１８Ａに静電潜像が形成された後、静電潜像が現像されてトナー像が形成される。
【００１９】
感光体ドラム１８の下方には、帯電器２０が設けられている。帯電器２０は、感光体ドラム１８の受光面１８Ａに接触することによって、直流電圧に交流電圧が重畳された重畳電圧により受光面１８Ａを帯電させる。
【００２０】
感光体ドラム１８の帯電器２０との接触位置より回転方向下流側には、ＬＰＨ（LED Print Head）２２が設けられている。ＬＰＨ２２は、感光体ドラム１８の回転軸方向（主走査方向）に複数の発光素子としてのＬＥＤが配列されており、画像情報に基づいて各ＬＥＤから光ビームを感光体ドラム１８の帯電された受光面１８Ａに照射することにより、受光面１８Ａ上に静電潜像を形成する。
【００２１】
さらに、ＬＰＨ２２より感光体ドラム１８の回転方向下流側には、現像器２４が設けられている。現像器２４は、感光体ドラム１８の受光面１８Ａとの間隔が所定間隔となるように配設されている現像ローラ２４Ａを備えている。現像器２４は、内部に各画像形成部１２で現像される色に対応したトナーを貯留しており、現像ローラ２４Ａが回転することにより内部に貯留されたトナーを感光体ドラム１８の受光面１８Ａと対向する位置に搬送し、受光面１８Ａに形成された静電潜像にトナーを電気的に付着させることにより、受光面１８Ａに形成された静電潜像を現像してトナー像を形成する。
【００２２】
一方、帯電器２０より感光体ドラム１８の回転方向上流側にはクリーナ２６が設けられている。クリーナ２６は、トナー像が感光体ドラム１８の受光面１８Ａから後述する中間転写ベルト３０に転写された後に、受光面１８Ａを摺擦して当該受光面１８Ａに残留する残留トナーを回収する。
【００２３】
各画像形成部１２が備える感光体ドラム１８の最上部には、記録用紙Ｐに記録すべき画像が転写される中間転写ベルト３０が、受光面１８Ａに接触するように設けられている。中間転写ベルト３０は、複数のローラ３０Ａに巻掛けられており、複数のローラ３０Ａによって感光体ドラム１８の回転方向とは逆方向の図１の矢印Ａ方向に回転される。これにより、中間転写ベルト３０には、回転した状態で、感光体ドラム１８の受光面１８Ａに形成されているＹ，Ｍ，Ｃ，Ｋ各々のトナー像が重ね合うように転写され、カラー画像が形成される。
【００２４】
さらに、画像形成部１２の図１の下方には、給紙部３２が設けられている。
【００２５】
給紙部３２には、送り出しローラ３１が設けられており、送り出しローラ３１は、回転することにより給紙部３２から記録用紙Ｐを一枚ずつ取り出して給紙部３２外に送り出す。送り出しローラ３１から送り出された記録用紙Ｐは、搬送部３４によって、中間転写ベルト３０からトナー像が転写される転写位置へ搬送される。
【００２６】
上記転写位置には、転写部３６が設けられている。転写部３６は、搬送部３４によって搬送されている記録用紙Ｐを、回転している中間転写ベルト３０との間で狭持することにより中間転写ベルト３０に形成されたトナー像を記録用紙Ｐに転写する。
【００２７】
転写部３６の配設位置より搬送部３４による記録用紙Ｐの搬送方向下流側には、定着部３８が設けられている。
【００２８】
定着部３８は、加熱ロール３８Ａ及び加圧ロール３８Ｂが設けられており、加熱ロール３８Ａは、中空とされている内部に配設された加熱源によって予め定められた温度範囲内の温度に加熱されている。定着部３８は、加熱ロール３８Ａ及び加圧ロール３８Ｂによって、搬送されてくる記録用紙Ｐを加熱及び加圧することで、中間転写ベルト３０によって転写されたトナー像を記録用紙Ｐに定着させる。
【００２９】
定着部３８によってトナー像が定着された記録用紙Ｐは、搬送部３４によって搬送され、排紙部４０に排紙される。
【００３０】
図２に、本実施の形態に係る画像形成装置１０の電気系の要部構成を示す。
【００３１】
画像形成装置１０は、画像形成装置１０全体の動作を司るＣＰＵ（Central Processing Unit）７０、各種プログラムや各種パラメータ、各種テーブル情報等が予め記憶された記憶媒体としてのＲＯＭ（Read Only Memory）７２、ＣＰＵ７０による各種プログラムの実行時のワークエリア等として用いられる記憶媒体としてのＲＡＭ（Random Access Memory）７４、後述する外部インタフェース８２で受信された画像情報や、各種情報を記憶する記憶媒体としてのＨＤＤ（Hard Disk Drive）７６、各種の操作指示が入力される操作ボタンやテンキー、各種のメッセージ等を表示するための表示部が設けられた操作パネル７８を備えている。
【００３２】
さらに、画像形成装置１０は、画像形成部１２、搬送部３４、定着部３８等の記録用紙Ｐに対して画像を形成する処理（以下、「画像形成処理」という。）に用いられる制御対象と接続され、各制御対象の駆動を制御する画像形成制御部８０、及び外部の端末装置８１と接続され、当該端末装置８１との間で記録用紙Ｐに形成する画像を示す画像情報を含む情報や、当該画像情報に基づいて画像形成処理を実行させるための画像形成実行信号を送受信する外部インタフェース８２を備えている。
【００３３】
これらＣＰＵ７０、ＲＯＭ７２、ＲＡＭ７４、ＨＤＤ７６、操作パネル７８、画像形成制御部８０、外部インタフェース８２は、システムバス８４を介して相互に電気的に接続されている。従って、ＣＰＵ７０は、ＲＯＭ７２、ＲＡＭ７４及びＨＤＤ７６へのアクセス、操作パネル７８に対する操作状態の把握や各種のメッセージ等の表示、画像形成制御部８０の動作の制御、及び外部インタフェース８２を介した端末装置８１との各種情報の送受信を各々行なうことができる。
【００３４】
また、本実施の形態に係る画像形成装置１０は、画像形成部１２を、記録用紙Ｐに無彩色の画像〈以下、「白黒画像」という。）を形成可能とする白黒画像形成モード、及び記録用紙Ｐにカラー画像を形成可能とするカラー画像形成モードの何れかの動作状態で動作させる。
【００３５】
なお、本実施の形態に係る画像形成装置１０では、白黒画像形成モードの場合は画像形成部１２Ｋの感光体ドラム１８を帯電させ、当該感光体ドラム１８を中間転写ベルト３０に接触させる一方、画像形成部１２Ｙ，１２Ｍ，１２Ｃの感光体ドラム１８の帯電を停止させ、かつ当該感光体ドラム１８を中間転写ベルト３０に接触させない等することにより、画像形成部１２Ｋによって画像の形成を可能な状態とする一方、カラー画像形成モードの場合は、画像形成部１２Ｙ，１２Ｍ，１２Ｃ，１２Ｋの各感光体ドラム１８を帯電させ、当該感光体ドラム１８を中間転写ベルト３０に接触させ、画像形成部１２Ｙ，１２Ｍ，１２Ｃ，１２Ｋによって画像の形成を可能な状態とする。
【００３６】
なお、本実施の形態に係る画像形成装置１０は、画像形成処理が行われる毎に、ユーザによって操作パネル７８又は端末装置８１を介して、白黒画像形成モード及びカラー画像形成モードの何れかの動作状態が設定され、当該設定された動作状態によって画像形成処理を行う。
【００３７】
さらに、本実施の形態に係る画像形成装置１０は、ユーザによって操作パネル７８又は端末装置８１を介して、白黒画像形成モード及びカラー画像形成モードの何れか一方が優先モードとして選択される。優先モードは、画像形成処理が行われていない場合の画像形成装置１０の状態であり、例えば、ユーザは、画像形成装置１０で形成する画像に白黒画像が多い場合は優先モードとして白黒画像形成モードを選択し、画像形成装置１０で形成する画像にカラー画像が多い場合は優先モードとしてカラー画像形成モードを選択することで、白黒画像形成モードとカラー画像形成モードとの切り替え回数を減少させ、画像形成処理に要する時間を抑制する。
【００３８】
なお、本実施の形態に係る画像形成装置１０では、画像の形成が、ユーザの操作による復帰が可能な状態で中断した場合で、かつ設定された動作状態が優先モードと異なる場合、及び自動的に復帰が可能な状態で中断した場合で、かつ設定された動作状態が優先モードと異なる場合には、設定された動作状態の優先モードへの切り替えを中止する。
【００３９】
次に、図３を参照して、本実施の形態に係る画像形成装置１０の作用を説明する。なお、図３は、ユーザによって端末装置８１を介して、画像情報により示される画像を白黒画像及びカラー画像の何れかの画像として形成する画像形成処理の実行指示が入力された場合にＣＰＵ７０によって実行される画像形成プログラムの処理の流れを示すフローチャートであり、当該プログラムはＲＯＭ７２の所定領域に予め記憶されている。
【００４０】
まず、ステップ１００では、優先モードの選択を行う。本実施の形態に係る画像形成装置１０では、画像形成処理の実行指示と共に端末装置８１を介してユーザによって選択された動作状態を優先モードとして選択する。なお、優先モードは、画像形成処理の実行指示の入力と共にではなく、予め選択して設定されていてもよい。
【００４１】
次のステップ１０２では、画像形成部１２の動作状態の設定を行う。本実施の形態に係る画像形成装置１０では、画像形成処理の実行指示と共に端末装置８１を介してユーザによって、白黒画像の形成指示が入力された場合は白黒画像形成モードに設定し、カラー画像の形成指示が入力された場合はカラー画像形成モードに設定する。
【００４２】
次のステップ１０４では、ステップ１０２で設定された動作状態での記録用紙Ｐへの画像の形成を開始する。
【００４３】
次のステップ１０６では、画像形成部１２による画像の形成が途中で中断されたか否かを判定し、肯定判定となった場合はステップ１０８へ移行する一方、否定判定となった場合はステップ１２４へ移行する。
【００４４】
ステップ１０８では、画像形成部１２の動作状態を切り替えることを示す切替フラグをセットすることで、切替設定を行う。
【００４５】
次のステップ１１０では、中断された画像の形成が復帰可能な状態であるか否かを判定し、肯定判定となった場合はステップ１１２へ移行する一方、否定判定となった場合はステップ１２８へ移行する。
【００４６】
なお、本実施の形態に係る上記復帰可能な状態は、ユーザの操作による復帰が可能な状態、及び自動的に復帰が可能な状態である。
【００４７】
上記ユーザの操作による復帰が可能な状態としては、トナーや記録用紙Ｐ等の消耗品が消耗し、当該消耗品の補充により画像の形成の再開が可能な状態、及び搬送部３４で搬送している記録用紙Ｐが停留（所謂、紙詰まり）し、当該停留した記録用紙Ｐを除去することにより画像の形成の再開が可能な状態があるが、これに限らないことはいうまでもない。
【００４８】
また、上記自動的に復帰が可能な状態としては、定着部３８の加熱ロール３８Ａの温度が予め定められた範囲内となっていないことから画像の形成が中断され、加熱ロール３８Ａが有する加熱源の温度を上昇または低下させることで加熱ロール３８Ａの温度を上記予め定められた範囲内とすることで、自動的に画像の形成が復帰される状態であるが、これに限らないことはいうまでもない。
【００４９】
次のステップ１１２では、中断した画像の形成が復帰可能であることから切替フラグをリセットすることで、切替設定の解除、すなわち切り替えの中止を行う。
【００５０】
次のステップ１１４では、操作パネル７８又は端末装置８１を介して、ユーザにより画像の形成の終了指示が入力されたか否かを判定し、肯定判定となった場合はステップ１１６へ移行して切替フラグをセットする一方、否定判定となった場合はステップ１１８へ移行する。
【００５１】
ステップ１１８では、画像の形成が中断された時刻から予め定められた時間（本実施の形態では、一例として１０分）が経過したか否かを判定し、肯定判定となった場合はステップ１１６へ移行して切替フラグをセットする一方、否定判定となった場合はステップ１２０へ移行する。
【００５２】
ステップ１２０では、画像の形成の中断の原因が解消したか否かを判定し、肯定判定となった場合は、一旦復帰可能と判断した画像の形成を復帰不能であると判断してステップ１２２へ移行する一方、否定判定となった場合はステップ１１４へ戻る。
【００５３】
ステップ１２２では、中断していた画像の形成を再開する。
【００５４】
次のステップ１２４では、画像情報により示される画像の形成が全て正常に終了したか否かを判定し、肯定判定となった場合はステップ１２６へ移行する一方、否定判定となった場合はステップ１０６へ戻る。
【００５５】
次のステップ１２６では、切替フラグをセットすることで、切替設定を行う。
【００５６】
次のステップ１２８では、設定されている動作状態と選択された優先モードとが一致するか否かを判定し、肯定判定となった場合はステップ１３０へ移行する一方、否定判定となった場合は判定ステップ１３２へ移行する。
【００５７】
ステップ１３０では、切替フラグをリセットすることで、切替設定の解除を行い、本プログラムを終了する。
【００５８】
ステップ１３２では、切替フラグがセットされているので、画像形成部１２の動作状態を優先モードに切り替えた後、ステップ１３４へ移行して切替フラグをリセットすることで、切替設定の解除を行い、本プログラムを終了する。
【００５９】
以上、本発明を上記実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【００６０】
また、上記実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件における組み合わせにより種々の発明を抽出できる。上記実施の形態に示される全構成要件から幾つかの構成要件が削除されても、効果が得られる限りにおいて、この幾つかの構成要件が削除された構成が発明として抽出され得る。
【００６１】
例えば、上記実施の形態では、中断された画像の形成が復帰可能な状態を、ユーザの操作による復帰が可能な状態、及び自動的に復帰が可能な状態とする場合について説明したが、本発明はこれに限定されるものではなく、停電又はユーザによる電源スイッチの操作によって、画像形成装置１０への電力供給が停止することによって画像の形成が中断し、その後予め定められた時間（例えば、１分）内に電力の供給が開始可能な状態とする形態としてもよい。
【００６２】
より具体的には、画像形成装置１０への電力供給が停止することによって画像の形成が中断された場合には、画像形成装置１０は画像の形成を行っている動作状態のまま停止し、上記予め定められた時間内に電力の供給が再開された場合は、設定された動作状態が優先モードと異なる場合でも、優先モードに切り替わることなく画像の形成を再開する。一方、上記予め定められた時間を超えた後に電力の供給が再開された場合は、画像の形成を再開せず、かつ画像の形成の停止時の動作状態が優先モードと異なる場合には優先モードに切り替える。
【００６３】
その他、上記実施の形態で説明した画像形成装置１０の構成（図１及び図２参照。）は一例であり、本発明の主旨を逸脱しない範囲内において不要な部分を削除したり、新たな部分を追加したりすることができることは言うまでもない。
【００６４】
また、上記実施の形態で説明した画像形成プログラムの処理の流れ（図３参照。）も一例であり、本発明の主旨を逸脱しない範囲内において不要なステップを削除したり、新たなステップを追加したり、処理順序を入れ替えたりすることができることは言うまでもない。
【００６５】
また、上記実施の形態に係る画像系プログラムは、また、上記実施の形態に係るカラー画像読取部用転送プログラムは、ＲＯＭ７２に予め記憶しておく形態の他、ＨＤＤ７６に予め記憶しておく形態、コンピュータ読み取り可能な記憶媒体に格納された状態で提供される形態、有線又は無線による通信手段を介して配信される形態等に適用することができる。
【符号の説明】
【００６６】
１０    画像形成装置
１２    画像形成部（画像形成手段）
３４    搬送部（搬送手段）
７０    ＣＰＵ（切替手段，切替中止手段）
７８    操作パネル（設定手段、選択手段）
Ｐ      記録用紙（記録媒体）
【図１】
2010181650.tif 000003
【図２】
2010181650.tif 000004
【図３】
2010181650.tif 000005